(57)【要約】【課題】幼児が簡単に開封するのを防止することができる一方、大人にとっては開封操作が単純で、容易に開封可能な包装袋を提供すること。【解決手段】重なり合う包装用フィルムの外周縁部に設けたシール部と、少なくとも該シール部によって囲繞された被包装物の収納スペースとを有する包装袋であって、前記シール部上に、第１誘導疵と該第１誘導疵に隣接または連続する第２誘導疵とからなる開封疵を有し、前記第１誘導疵は、包装袋の端部を始端として前記収納スペースに沿った方向に延在する一方、前記第２誘導疵は、前記第１誘導疵上または隣接位置から被包装物の収納スペースに向かう方向に延在していること。【選択図】図１
2017226444.tif 000002
【特許請求の範囲】
【請求項１】
重なり合う包装用フィルムの外周縁部に設けたシール部と、少なくとも該シール部によって囲繞された被包装物の収納スペースとを有する包装袋であって、
前記シール部上に、第１誘導疵と該第１誘導疵に隣接または連続する第２誘導疵とからなる開封疵を有し、
前記第１誘導疵は、包装袋の端部を始端として前記収納スペースに沿った方向に延在する一方、前記第２誘導疵は、前記第１誘導疵上または隣接位置から被包装物の収納スペースに向かう方向に延在していることを特徴とする包装袋。
【請求項２】
前記第１誘導疵と第２誘導疵とのなす内角が、３０°〜１２０°の範囲であることを特徴とする請求項１に記載の包装袋。
【請求項３】
前記開封疵は、前記シール部上に複数設けられていることを特徴とする請求項１または２に記載の包装袋。
【請求項４】
前記第２誘導疵の終端と前記収納スペースの端縁とのクリアランスが、０．１ｍｍ以上であることを特徴とする請求項１〜３のいずれか１項に記載の包装袋。
【請求項５】
前記開封疵は、ミシン目状に穿設した溝、孔または連続的もしくは間欠的な溶融痕からなることを特徴とする請求項１〜４のいずれか１項に記載の包装袋。
【請求項６】
前記包装袋は、その外周縁に設けたシール部のうちの少なくとも１つのシール部内に注出通路を有すると共に、前記第２誘導疵が、該注出通路の側端辺に向かって凸凹状に迂曲した鉤形状からなり、前記シール部内の、該第２誘導疵終端から前記注出通路を横切った位置に、前記第２誘導疵からの引裂きの進展阻止部を有することを特徴とする請求項１〜５のいずれか１項に記載の包装袋。
【請求項７】
前記シール部は、前記進展阻止部まで引裂かれた状態で、前記第２誘導疵の鉤形部分によって前記包装袋の端縁に掛合可能であることを特徴とする請求項６に記載の包装袋。
【発明の詳細な説明】
【技術分野】
【０００１】
この発明は、液体、粘稠物、粉体等の被包装物を充填包装するための包装袋に関し、とくには、幼児が誤って開封し、被包装物の誤食や誤飲を防止することのできる機能を有する包装袋に関する。
【背景技術】
【０００２】
近年、医薬品や薬剤等の包装袋として、幼児による誤開封を防止したチャイルドレジスタンス機能を具えるものが開発されている。例えば、特許文献１には、包装袋の外縁を除く部分に傷痕等からなる帯状の破断構造を設け、該破断構造部分を始点として手指で引裂いて開封できるようにした包装袋が開示されている。
【先行技術文献】
【特許文献】
【０００３】
【特許文献１】特開２０１５−２１７９７０号公報
【発明の概要】
【発明が解決しようとする課題】
【０００４】
このような特許文献１の包装袋によれば、開け口が外縁に設けられていないので幼児が誤って開封してしまうことを阻止することができるものの、開封に際しては、破断構造部分を端部に位置させ、該部分が引裂きの起点となるように適切に折り曲げる必要があり、折り曲げ位置の位置合わせが非常に手間であると共に、操作が煩雑であるという問題点がある。
【０００５】
そこで本発明は、幼児が簡単に開封するのを防止することができる一方、大人にとっては開封操作が単純で、容易に開封可能な包装袋を提供することを目的とする。
【課題を解決するための手段】
【０００６】
上記目的を実現するために開発した本発明の包装袋は、重なり合う包装用フィルムの外周縁部に設けたシール部と、少なくとも該シール部によって囲繞された被包装物の収納スペースとを有する包装袋であって、前記シール部上に、第１誘導疵と該第１誘導疵に隣接または連続する第２誘導疵とからなる開封疵を有し、前記第１誘導疵は、包装袋の端部を始端として前記収納スペースに沿った方向に延在する一方、前記第２誘導疵は、前記第１誘導疵上または隣接位置から被包装物の収納スペースに向かう方向に延在していることを特徴とする。
【０００７】
上記本発明の包装袋においては、
（１）前記第１誘導疵と第２誘導疵とのなす内角が、３０°〜１２０°の範囲であること、
（２）前記開封疵は、前記シール部上に複数設けられていること、
（３）前記第２誘導疵の終端と前記収納スペースの端縁とのクリアランスが、０．１ｍｍ以上であること、
（４）前記開封疵は、ミシン目状に穿設した溝、孔または連続的もしくは間欠的な溶融痕からなること、
（５）前記包装袋は、その外周縁に設けたシール部のうちの少なくとも１つのシール部内に注出通路を有すると共に、前記第２誘導疵が、該注出通路の側端辺に向かって凸凹状に迂曲した鉤形状からなり、前記シール部内の、該第２誘導疵終端から前記注出通路を横切った位置に、前記第２誘導疵からの引裂きの進展阻止部を有すること、
（６）前記シール部は、前記進展阻止部まで引裂かれた状態で、前記第２誘導疵の鉤形部分によって前記包装袋の端縁に掛合可能であること、
がより好ましい解決手段である。
【発明の効果】
【０００８】
本発明に係る包装袋では、重なり合う包装用フィルムの外周縁部に設けたシール部上に第１誘導疵および第２誘導疵からなる開封疵を設けたことで、２段階での開封操作が必要で、幼児が簡単に開封することができず、誤飲や誤食を有効に防止することができる一方、大人にとっては、２つの誘導疵に沿って引き裂くことで簡単に開封することができる。
【０００９】
なお、本発明では、第１誘導疵と第２誘導疵が、それぞれ隣接または連続して設けられているが、第１誘導疵と第２誘導疵の延在方向が、好ましくは第１誘導疵と第２誘導疵とのなす内角が、３０°〜１２０°となるように形成されているため、第１誘導疵の引裂きに伴う伝播力によってそのまま第２誘導疵が引裂かれてしまうおそれがない。
【００１０】
さらに、包装袋の外周縁に設けたシール部内に注出通路を形成した包装袋においては、第２誘導疵を該注出通路側端辺に向かって形成することで、注出通路を開封することができる。この場合には、外周縁シール部上の、第２誘導疵の終端から注出通路を横切った位置に切り込み等からなる進展阻止部を設け、引裂きの進行を食い止めることで、切断片（フィルム片）が発生することがなく、該切断片が食品等に混入したり、排水管につまりを招くようなこともない。
【図面の簡単な説明】
【００１１】
【図１】この発明の包装袋の一実施形態を示す図である。
【図２】この発明の包装袋の他の一実施形態を示す図である。
【図３】図２の包装袋において開封疵の変更例を示す図である。
【図４】図３の包装袋の、上部に形成した引裂き片を、その端部をもって該包装袋の上端部に掛合させた状態を例示する拡大斜視図である。
【図５】この発明の包装袋のその他の一実施形態を示す図である。
【発明を実施するための形態】
【００１２】
以下にこの発明の実施形態を図面に示すところに基づいて説明する。
図１に示す実施形態の包装袋１は、例えばシーラント層を含む二層以上の積層構造を持つ包装用フィルムを、シーラント層が内面側になるように折り返した後、重なり合う外周縁部をヒートシール、インパルスシール、高周波ウエルダーシール、超音波シール、その他によって図に斜線を施して示すようにシールして、両側部シール部３ａ、３ｂおよび頂部シール部３ｃを形成し、該シール部３ａ、３ｂ、３ｃおよび折返し部によって囲繞された被包装物の充填スペース２を有する。
なお、図１の包装袋１は、三方シール袋であるが、それに限定されるものではなく、四方シール袋や合掌貼り包装袋、背貼り包装袋、スタンドパウチ等、各種のものとすることができる。
【００１３】
包装袋１の側部シール部３ａ上には、頂部シール部３ｃの外端部を始端として充填スペース２に沿って延在する第１誘導疵４と、該第１誘導疵４から充填スペース２に向かって略９０度折曲した方向に延在する第２誘導疵５からなる開封疵６が設けられている。
【００１４】
なお、図１では、第１誘導疵４の始端を頂部シール部３ｃの外端部に設けているが、本発明はそれに限定されるものではなく、後述する図５に示すように第１誘導疵４の始端を側部シール部３ａ、３ｂの外端部に設け、湾曲した後、充填スペース２に沿って延在してもよい。また、第１誘導疵４の始端は、シール部３ａ、３ｂ、３ｃの外端辺との間に０〜５ｍｍのクリアランスを設定して設けることが好ましく、これによれば包装袋１の輸送や梱包などの取り扱い中に不測に破断するのを抑制することができる。
【００１５】
この包装袋１は、第１誘導疵４を境界として、頂部シール部３ｃを両手指で把持し、テコの力を利用して第１誘導疵４に沿って手指で引裂いた後、さらに第２誘導疵５に沿って充填スペース２まで引裂くことで開封することができる。
【００１６】
この包装袋１によれば、その開封に際し、上記したように開封疵６による２段階の引裂き操作が必要になるため、幼児の場合には、その操作を行うことが難しく、チャイルドレジスタンス機能を発揮することができ、誤開封による誤飲や誤食を有効に防止することができる。
【００１７】
本発明の包装袋１では、第２誘導疵５の始端を、第１誘導疵４に隣接または第１誘導疵４に連続するように位置させるが、第１誘導疵４と第２誘導疵５は、その延在方向がそれぞれ異なり、図１では第２誘導疵５が、第１誘導疵４に対して略９０°折曲した方向に延在しているため、第１誘導疵４に沿った引裂きが、第２誘導疵５側に進展することがない。そのため、たとえ幼児等が誤って包装袋１を第１誘導疵４に沿って引き裂いたとしても、その引裂きがそのまま、第２誘導疵５へと進展するおそれがなく、包装袋１の誤開封を未然に防止することができる。
【００１８】
なお、第２誘導疵５の始端を、第１誘導疵４の隣接位置に設ける場合には、第２誘導疵５を第１誘導疵４と交差して設ける他、第１誘導疵４と第２誘導疵５の始端との間に一定のクリアランスを設けることが好ましい。なお、第１誘導疵４と第２誘導疵５の始端とのクリアランスは３．０ｍｍ以下とすることが好ましく、このクリアランスが、３．０ｍｍ超の場合には、第２誘導疵５の始端位置を境にして両手指で把持して相互に引っ張ると、該部分の包装用フィルムが伸びて引裂くことができないおそれがある。
【００１９】
また、上記したように第１誘導疵４から第２誘導疵５への一連の引裂き（進展）を防止するためには、第１誘導疵４と第２誘導疵５とのなす内角θが３０〜１２０°の範囲であることが好ましく、より好ましくは４５〜９０°の範囲とする。この角度θが３０°未満の場合には、第１誘導疵４から第２誘導疵５への引裂きが困難で、引裂き操作中に意図しない個所が引裂かれてしまうおそれがあり、角度θが１２０°超の場合には、第１誘導疵４からの引裂きによってそのまま第２誘導疵５へと引裂きが進行してしまうおそれがある。
【００２０】
なお、開封疵６は、図１においては包装袋１の一方の側部シール部３ａ上に設けられているが、これに限定されるものではなく、包装袋１の外周縁シール部（図１では両側部シール部３ａ、３ｂおよび頂部シール部３ｃ）のいずれの位置に設けてもよく、また包装袋１の大きさや用途等の種々の条件に合わせて複数設けてもよい。
【００２１】
また、第２誘導疵５の終端と充填スペース２の端縁との間には、０．１ｍｍ以上のクリアランス（ｄ）を設けることが好ましく、より好ましくは第２誘導疵５の長さが１．０ｍｍ以上になるようにクリアランス（ｄ）を設定する。これは、第２誘導疵５の長さが１．０ｍｍ未満であると、第２誘導疵５の終端から充填スペース２まで引裂きを進行させることができず、包装袋１を開封できないおそれがあり、一方、クリアランス（Ｄ）が０．１ｍｍ未満の場合には、包装袋１の輸送や梱包などの取り扱い中や、それ自身の落下衝撃や積み重ねた時の荷重によって第２誘導疵５が不測に破断し、被包装物が漏れ出すおそれがあるためである。
【００２２】
第１誘導疵４および第２誘導疵５は、包装用フィルム上にマイナス状に延在させて設けた一本の疵、ミシン目状に穿設した複数の疵、複数の小孔状の疵、あるいはレーザ光線等をもって連続的もしくは間欠的に設けた溶融痕など、適宜の形状および数の疵にて形成することができ、疵の深さや長さ、その他の寸法は、包装用フィルムの構成材料や厚み等の条件に応じて適宜選択する。
【００２３】
次に、図２に示す本発明の他の一実施形態の包装袋１では、頂部シール部３ｃ上の、側部シール部３ａとの境界部分に非シール部からなる注出通路７が設けられている。この包装袋１では、第１誘導疵４が、頂部シール部３ｃの上端辺から、注出通路７に沿って側部シール部３ａ上に延在し、この第１誘導疵４の隣接位置から、注出通路７の側端に向かって第２誘導疵５が設けられている。
【００２４】
この包装袋１もまた、先の実施形態と同様に第１誘導疵４おおび第２誘導疵５からなる開封疵６の、２段階の開封操作を必要とし、まず第１誘導疵４を境界として頂部シール部３ｃを両手指で把持し、テコの力を利用して第１誘導疵４に沿って手指で引裂いた後、さらに第２誘導疵５に沿って注出通路７まで引裂くことで注出通路７を開口することができる。
【００２５】
また、図２に示すように、頂部シール部３ｃ上には前記凸凹状の第２誘導疵５の終端から注出通路７を横切った位置に引裂きの進展阻止部８を設けることが好ましい。この進展阻止部８は、図２の引裂き方向に対して垂直方向に延びる切込み、または樹脂溜まりにより形成することができる。この進展阻止部８によれば、第２誘導疵５からの引裂きが、注出通路７を開口した後、該進展阻止部８において食い止められることになり、それ以上の引裂きの進行が阻止されることになる。
【００２６】
したがって、この包装袋１によれば、開封のために頂部シール部３ｃ内に引裂きを進行させたとしても、所期した位置に設けた進展阻止部８によって引裂きが停止されることになり、頂部シール部３ｃの、引裂き片１１を常に包装袋１につながった状態にすることができるので、フィルム切断片が発生することがなく、食品等に混入したり、排水管のつまりを招くことがない。
【００２７】
また、この包装袋１では、図３に示すように第２誘導疵５を凸凹状に迂曲した形状とすると共に、第２誘導疵５の終端から注出通路７を横切った位置に、ミシン目等からなる第３誘導疵９を設け、その終端に進展阻止部８としての切込みまたは樹脂溜まりを設けてもよい。
この場合には、頂部シール部３ｃを第１誘導疵４、第２誘導疵５および第３誘導疵９に沿って注出通路７を横切るように進展阻止部８まで引裂くと、その引裂き片１１の端部１１ａは、第２誘導疵５の凸凹状に迂曲した形状によって鉤形となる。
【００２８】
そのため、引裂き片１１は、図４に示したように折り返した状態で、その端部１１ａの鉤形部分をもって頂部シール部３ｃの上端部に設けた切欠き１２に掛合させることができ、包装袋１内からの被包装物の注出に際し、引裂き片１１が注出の妨げになることがなく、それに伴う液だれの発生や、意図しない方向への被包装物の注出を防止することができる。なお、引裂き片１１の端部１１ａは、前記したような切欠き１２に掛合させる他、鉤形部分によって包装袋１の端縁に掛合させることもできる。
【００２９】
さらに図５に示す本発明の他の一実施形態の包装袋１では、包装袋１の両側部シール部３ａ、３ｂ上にそれぞれ、側部シール部３ａ、３ｂの側端縁を始端として充填スペース２に沿って延在する第１誘導疵４と、該第１誘導疵から充填スペース２に向かって延在する第２誘導疵５が設けられている。
この包装袋１もまた、先の実施形態と同様に２段階の開封操作を必要とし、まず第１誘導疵４を境界として頂部シール部３ｃを両手指で把持し、テコの力を利用して第１誘導疵４に沿って手指で引裂いた後、さらに第２誘導疵５に沿って充填スペース２まで引裂くことで開封することができる。
【００３０】
第１誘導疵４および第２誘導疵５からなる開封疵６は、図５に示すように包装袋１の長さ方向中央位置に設けることが好ましく、これによれば充填スペース２内の被包装物の残量が少なくなった際に、該開封疵６に沿って包装袋１の上部を切り取ることで、袋内の被包装物の全量を簡単に取り出すことができるようになり、とくに、マヨネーズやクリームなどの粘稠状の被包装物用の包装袋１として好適に用いることができる。
【符号の説明】
【００３１】
１  包装袋
２  充填スペース
２ａ  折返し部
３ａ、３ｂ  側部シール部
３ｃ  頂部シール部
４  第１誘導疵
５  第２誘導疵
６  開封疵
７  注出通路
８  進展阻止部
９  第３誘導疵
１１  引裂き片
１１ａ  端部
１２  切欠き
【図１】
2017226444.tif 000003
【図２】
2017226444.tif 000004
【図３】
2017226444.tif 000005
【図４】
2017226444.tif 000006
【図５】
2017226444.tif 000007